(57)【要約】      （修正有）【課題】汚泥引き出し管内のスカム発生を簡単に防止する合併処理浄化槽の提供。【解決手段】管体１０内を担体流動槽３０と沈殿槽４０とに分ける仕切り６０に、汚泥引き出し管６１と、沈殿槽４０内を沈降ホッパ室４１と汚泥滞留室４２に仕切るスカート壁４５とを設け、担体流動槽３０と汚泥滞留室４２とを横に連通させる移流口６２を汚泥引き出し管６１に設け、汚泥引き出し管６１に移流口６２より高い位置で担体流動槽３０に通じる導水口６３を開放した。これにより、移流口６２からの流れをスカート壁４５で下側に変向し、その変向流を汚泥滞留室４２の底部に設けた泥流し壁４４で受けて汚泥返送ポンプ７０の吸上口７１側に向かう流れを生じさせ、その移流時に、導水口６３から担体流動槽３０内の処理水が汚泥引き出し管６１内に流入し、管内に下降流が生じて汚泥を沈降させ、汚泥滞留室４２に流れるようにした。【選択図】図３
2008272702.tif 000002
【特許請求の範囲】
【請求項１】
管体内を担体流動槽と沈殿槽とに分ける仕切りを設け、水面上から前記担体流動槽の底部に通じた汚泥引き出し管を前記仕切りに設け、前記沈殿槽内を仕切って沈降ホッパ室と汚泥滞留室とを上下に設け、前記担体流動槽と前記汚泥滞留室とを横に連通させる移流口を前記汚泥引き出し管に設け、前記汚泥滞留室に汚泥返送ポンプの吸上口と、前記移流口からの流れを下側に変向するスカート壁と、その変向流を受けて吸上口側に向かう流れを生じさせる底部とを設け、前記汚泥引き出し管に前記移流口より高い位置で前記担体流動槽に通じる導水口を開放した合併処理浄化槽。
【請求項２】
前記管体の沈殿槽側を前、前記担体流動槽側を後としたとき、前記担体流動槽の縦旋回流を前記仕切りに対して前後に遠近する旋回方向とし、前記移流口を、前記担体流動槽の処理水が前後方向に対し交差する向きのみから汚泥引き出し管内に流入し、かつ管内で前方に変向して流出するように設けたことを特徴とする請求項１に記載の合併処理浄化槽。
【請求項３】
前記移流口の入口内周を、周囲の管壁外面から流入方向に沿って突出するように設けたことを特徴とする請求項１又は２に記載の合併処理浄化槽。
【請求項４】
嫌気性処理室を有する一次処理槽を備え、前記汚泥返送ポンプの移送管に前記担体流動槽に移送する第一返送口と、前記一次処理槽に移送する第二返送口とを設け、前記第一返送口の流量を前記第二返送口よりも多くすることを可能としたことを特徴とする請求項１から３のいずれかに記載の合併処理浄化槽。
【請求項５】
前記沈降ホッパ室の上澄み水を消毒槽に揚水するエアリフトポンプを備え、前記消毒槽の越流高さを前記沈降ホッパ室の水面より高く設け、前記エアリフトポンプの吸上口を前記の水面に臨む上広がり状としたことを特徴とする請求項１から４のいずれかに記載の合併処理浄化槽。
【発明の詳細な説明】
【技術分野】
【０００１】
この発明は、合併管体内で好気性の担体流動槽と沈殿槽とを備えた合併処理浄化槽に関する。
【背景技術】
【０００２】
一般に、合併処理浄化槽は、管体内を仕切ることで各種の処理槽が設けられており、管体のマンホールを除いて地下に埋設される。
管体内に流入する被処理水は、一次処理槽に入り、夾雑物の除去が行なわれる。この一次処理槽としては、沈殿分離室や嫌気性処理室が一般的である。好気性の担体流動槽は、一次処理槽の下流に設けられる。
【０００３】
上記の担体流動槽においては、担体上に成長した生物膜がエアブローの影響で剥離するため、処理水に汚泥が混ざることは避けられない。このため、合併処理浄化槽では、担体流動槽の下流に沈殿槽を設け、汚泥を沈降分離するようにしている。沈殿槽で分離された汚泥は、ポンプで吸い上げられ、一次処理槽に移送される。このように、沈殿槽に大量の沈降汚泥が溜まることを防止することにより、スカム（汚泥が腐敗して水面に浮上したもの）の発生を抑えている（例えば、特許文献１）。
【０００４】
この種の合併処理浄化槽として、図８に示すように、管体１内を担体流動槽２と沈殿槽３とに分ける仕切り４を設け、担体流動槽２の汚泥引き出し管５を仕切り４に設け、沈殿槽３で分離された汚泥を上流側の処理槽に移送する汚泥返送ポンプ６を設けたものがある。なお、以下で特に方向を述べるときは、管体１の沈殿槽３側を前、担体流動槽２側を後とする。
【０００５】
担体流動槽２は、好気性微生物の生物膜が付着する多数の担体Ｃが槽内の縦旋回流で流動するようになっている。担体Ｃの余分な生物膜は、流動で剥がれ、処理水に混ざって汚泥となる。したがって、担体流動槽２は、担体の目詰まりを解消する逆洗浄が不要である。
【０００６】
担体流動槽２内で処理水に混ざった汚泥は、移流に伴って沈殿槽３に向かう。したがって、通常、汚泥が担体流動槽２の底部に沈降することはない。しかしながら、何らかの原因で多量の沈降汚泥が生じている場合、異臭の原因となるスカム（水面に浮上した汚泥）が生じ易くなるため、サクションホースによる引き出し作業が実施される。
【０００７】
上記の汚泥引き出し管５は、マンホール７の下方に上端口を有し、水面上から担体流動槽２の底部に通じている。汚泥引き出し管５と担体流動槽２の底部との間に、底引き口８が担体Ｃが通過しないように開放されている。底部の汚泥は、底引き口８を経てサクションホース（図示省略）に引き込まれるが、担体Ｃが汚泥引き出し管５内に入り込むことはない。このような汚泥引き出し管５を設けると、引き出し作業を簡単に行なうことができる。
【０００８】
ところで、担体流動槽を採用した場合、そのまま沈殿槽に処理水を移流すると、沈殿槽内の汚泥量が多くなる。このため、従来から、生物ろ過槽、ろ床等の汚泥ろ過装置を併設し、担体流動槽の処理水を汚泥ろ過装置に通すことが広く行なわれている（例えば、特許文献２）。
【０００９】
しかしながら、特許文献２のように汚泥ろ過装置を設けると、目詰まり解消のメンテナンス作業が必要になり、管体のコンパクト化も困難になる。
そこで、図８に示す合併処理浄化槽においては、汚泥返送効率を高めることにより、沈殿槽に大量の汚泥が溜まることを防ぎ、汚泥ろ過装置を不要にしている。
【００１０】
具体的には、沈殿槽３内を仕切って沈降ホッパ室３ａと汚泥滞留室３ｂとが上下に設けられている。これにより、汚泥が沈降する空間（沈降ホッパ室３ａ）と汚泥滞留室３ｂとが絞り口で通じ、沈降した汚泥が沈降分離空間に舞い上がり難くなる。
担体流動槽２の縦旋回流は、仕切り４に対して前後に遠近する旋回方向とされている。この縦旋回流は、担体流動槽２の後側に片寄せて底部近傍にブロワ９を設け、このブロワ９からのばっ気で生じている。すなわち、ばっ気による上昇流の発生に伴い、仕切り４に沿って下降流が生じ、その下降流が底部にぶつかって横に広がる流れになっている。
【００１１】
担体流動槽２と汚泥滞留室３ｂとを横に連通させる移流口１０が仕切り４に設けられている。担体流動槽２の縦旋回流が底部にぶつかって横に広がる影響で、勢いのある流れが移流口１０に繰り返し向かう。このため、汚泥滞留室３ｂ内が撹拌される。この撹拌が強過ぎるのは、汚泥滞留室３ｂから沈降ホッパ室３ａへ汚泥が舞い上がる原因となり、好ましくない。
【００１２】
そこで、移流口１０は、汚泥引き出し管５に設けられ、汚泥引き出し管５で汚泥滞留室３ｂへの移流領域が制限されている。
その上で、汚泥滞留室３ｂに、汚泥返送ポンプ６の吸上口と、移流口１０からの流れを下側に変向するスカート壁３ｃと、その変向流を受けて吸上口側に向かう流れを生じさせる底部３ｄとが設けられている。
【００１３】
移流口１０からの流れは、スカート壁３ｃで下側へ変向される結果、勢いの弱まった変向流により汚泥滞留室３ｂ内が撹拌される。その変向流が底部３ｄで受けられた結果、さらに勢いの弱まった流れが吸上口側に向かう。したがって、汚泥滞留室３ｂ内の汚泥が吸上口側に運ばれる。汚泥返送ポンプ６は、常時運転されており、運ばれてきた汚泥が再び拡散することがないようにしている。このようにして、汚泥滞留室３ｂからの汚泥舞い上がりを抑えながらも、汚泥返送効率を高めた結果、図８に示す合併処理浄化槽は、汚泥ろ過装置の省略を実現している。
【００１４】
また、汚泥返送ポンプ６にエアーリフトポンプを採用した場合、吸上口付近に汚泥を集めると返送効率は良くなるが、その分、揚水管内の見掛け比重が高まり、エアーリフトさせるためのポンプの負荷が大きくなる。汚泥滞留室３ｂ内を撹拌しながら汚泥を吸上口６ａ側に運べば、汚泥が大きな集まりになり難く、エアーリフトポンプの大型化を避けられる利点もある（非特許文献１）。
【００１５】
【特許文献１】特開２００５−１８５８９２号公報
【特許文献２】特開２００２−３０１４９１号公報
【非特許文献１】「ニッシン工業株式会社  ニッシン合併処理浄化槽  ＮＩＳシリーズカタログ」（ニッシン工業株式会社  ２００５年６月）
【発明の開示】
【発明が解決しようとする課題】
【００１６】
しかしながら、図８のような合併処理浄化槽は、担体流動槽と沈殿槽の汚泥滞留室間の移流が汚泥引き出し管を横断したり、その汚泥滞留室の撹拌に伴って汚泥が汚泥引き出し管内に入り込んだりするため、管内に汚泥が留まってそのままスカムになり易い点で改良の余地がある。
【００１７】
そこで、この発明の課題は、担体流動槽と沈殿槽の汚泥滞留室間の移流を担体流動槽の汚泥引き出し管を介して行い、その移流を利用して汚泥滞留室内を撹拌しつつ汚泥返送ポンプの吸上口に汚泥を運びながら、汚泥引き出し管内のスカム発生を簡単に防止することにある。
【課題を解決するための手段】
【００１８】
上記の課題を解決するため、この発明は、管体内を担体流動槽と沈殿槽とに分ける仕切りを設け、水面上から前記担体流動槽の底部に通じた汚泥引き出し管を前記仕切りに設け、前記沈殿槽内を仕切って沈降ホッパ室と汚泥滞留室とを上下に設け、前記担体流動槽と前記汚泥滞留室とを横に連通させる移流口を前記汚泥引き出し管に設け、前記汚泥滞留室に汚泥返送ポンプの吸上口と、前記移流口からの流れを下側に変向するスカート壁と、その変向流を受けて吸上口側に向かう流れを生じさせる底部とを設けた構成の採用により、担体流動槽と沈殿槽の汚泥滞留室間の移流を担体流動槽の汚泥引き出し管を介して行い、その移流を利用して汚泥滞留室内を撹拌しつつ汚泥返送ポンプの吸上口に汚泥を運ぶようにしている。
【００１９】
さらに、この発明は、前記汚泥引き出し管に前記移流口より高い位置で前記担体流動槽に通じる導水口を開放した構成を採用することにより、前記導水口より低い位置の前記移流口から前記汚泥滞留室へ移流が生じる状態で、導水口から前記汚泥引き出し管に処理水が流入して管内に下降流が生じるようにした。この下降流は、管内にある汚泥の浮上を防止し、汚泥滞留室へ運ぶ作用をなす。したがって、この構成によれば、汚泥引き出し管に導水口を開放するだけで、管内のスカム発生を簡単に防止することができる。
【発明の効果】
【００２０】
上述のように、この発明に係る合併処理浄化槽は、上記構成の採用により、担体流動槽と沈殿槽の汚泥滞留室間の移流を担体流動槽の汚泥引き出し管を介して行い、その移流を利用して汚泥滞留室内を撹拌しつつ汚泥返送ポンプの吸上口に汚泥を運びながら、汚泥引き出し管内のスカム発生を簡単に防止することができる。
【発明を実施するための最良の形態】
【００２１】
以下、この発明の実施形態を添付図面に基づいて説明する。
図１は、第一実施形態に係る合併処理浄化槽の全体構成を縦断面で示している。図２は、図１の合併処理浄化槽を、天井部分を取り除いた横断面で示している。なお、各添付図面においては、槽内の処理水の流れを矢線で概念的に描いている。
図１、図２に示すように、この合併処理浄化槽は、管体１０内を一次処理槽２０と担体流動槽３０と沈殿槽４０とに分ける仕切り５０、６０が設けられたものとなっている。なお、以下で特に方向を述べるときは、管体１０の沈殿槽４０側を前、担体流動槽３０側を後とする。
【００２２】
一次処理槽２０は、第一処理室２１と第二処理室２２とを有している。第一処理室２１は、汚水中の固形物を沈殿分離する夾雑物除去室になっている。第二処理室２２は、嫌気ろ床式の嫌気性処理室になっている。
【００２３】
汚水は、流入管１１から流入バッフル２３を経て第一処理室２１に流入する。第一処理室２１の処理水は、槽内仕切り２４の移流口２５から移流バッフル２６内を経て第二処理室２２の嫌気ろ床の下方に移流し、仕切り５０に設けられた移流口５１からオーバーフローにより担体流動槽３０に移流する。
【００２４】
移流口２５は、流入バッフル２３と第一処理室２１の底間の中間深さにある。これにより、流入にした汚水の直線的な移流が避けられ、第一処理室２１の沈殿物が汚水流入の影響で舞い上がっても第二処理室２２に移流し難くなる。
【００２５】
図３は、図１の仕切り６０付近を拡大して示している。図４は、仕切り６０を後方右斜め上方からの視線で示している。図５は、仕切り６０を前方右斜め上方からの視線で示している。
図３、図４に示すように、担体流動槽３０は、好気性微生物の生物膜が成長する担体Ｃが縦旋回流にのって流動するようになっている。
【００２６】
担体Ｃは、生物膜の成長空間となるスリット部を表面に有している。この担体Ｃは、多数のスリット部を有する骨格球状とされているが、支障なく旋回流動する限り、網目状、筒状等の適宜の形態にすることができる。
【００２７】
担体流動槽３０の縦旋回流は、後側の底部近傍からブローにより、仕切り６０に対して前後に遠近する旋回方向とされている。
【００２８】
仕切り６０に設けられた汚泥引き出し管６１は、水面上から担体流動槽３０の底部に通じており、その下端と担体流動槽３０の底部との間に底引き口が空けられている。
【００２９】
汚泥引き出し管６１は、仕切り６０の左右方向の中間部から他の部分よりも担体流動槽３０側に前後幅をもって入り込むように設けられている。汚泥引き出し管６１の入り込み部分を利用し、前後方向に沿った管壁側部６１ａが形成されている。管壁側部６１ａと管体１０の側周壁との間は、担体流動槽３０内の旋回流を前後に遠近するように方向付ける整流空間となる。
【００３０】
図３、図５に示すように、沈殿槽４０は、その内部を仕切って沈降ホッパ室４１と汚泥滞留室４２とが上下に設けられたものである。汚泥引き出し管６１に、担体流動槽３０と汚泥滞留室４１とを横に連通させる移流口６２が設けられている。
【００３１】
沈降ホッパ室４１は、管体１０の側周壁に沿って排出口４３が設けられている。この排出口４３は、処理水が汚泥滞留室４２から沈降ホッパ室４１へ上昇する移流口を兼ねている。
【００３２】
汚泥滞留室４２は、沈殿槽４０の底部に配置されている。これは、沈殿槽４０内の沈降空間を最大限に確保するためである。汚泥滞留室４２の底部のうち、排出口４３の下方に位置する部分に、上広がり状の泥流し壁４４が形成されている。この泥流し壁４４により、沈降してきた汚泥を汚泥滞留室４２の中央側に導くようにしている。
【００３３】
移流口６２は、仕切り６０の担体流動槽３０側に開放する入口６２ａと、仕切り６０の汚泥滞留室４２側に開放する出口６２ｂとを形成することで設けられている。担体流動槽３０内の仕切り６０に沿った下降流が担体流動槽３０の底部にぶつかって横に広がる影響を受け、担体流動槽３０内の処理水が勢いをもって入口６２ａから管内に流入する。
【００３４】
図３、図４に示すように、移流口６２の入口６２ａは、汚泥引き出し管６１の前後方向に沿った管壁側部６１ａにのみ開放している。このため、入口６２ａから管内への流入方向は、前後方向に対し交差する向きに限定されている。
すなわち、担体流動槽３０内の縦旋回流が仕切り６０に対して前後に遠近する旋回方向であり、汚泥引き出し管６１内への流入方向と一致しない。このため、管内への流入の勢いは、前後方向に流入させる場合と比して弱くなり、汚泥滞留室４２への流出の勢いも弱まる。このように汚泥滞留室４２への流出の勢いを弱めれば、汚泥滞留室４２からの汚泥舞い上がりを防止することができる。
【００３５】
図３、図５に示すように、移流口６２の出口６２ｂは、前方に向けて開放するように設けられている。したがって、担体流動槽３０の処理水は、管内で前方に変向されて勢いが弱まった後、出口６２ｂから汚泥滞留室４２に流出する。このように勢いを弱めれば、汚泥滞留室４２からの汚泥舞い上がりを防止することができる。
【００３６】
ここで、図６に入口６２ａの横断面を示すように、入口６２ａは、左右の管壁側部６１ａのそれぞれに開放され、両管壁側部６１ａの各入口６２ａは、左右対称の関係になっている。担体流動槽３０の処理水は、左右両側の入口６２ａから管内に流入し、管内でぶつかり合う。このぶつかり合いにより、出口６２ｂからの流出の勢いを弱めることができる。
【００３７】
なお、移流口６２の入口６２ａを左右の管壁側部６１ａの一方にのみ開放し、他方を閉塞した構成でも、管内で勢いを弱めることも可能であるが、図６の構成と同一の管内流入量を確保すると、流入速度が上がることになるため、この実施形態のように左右両側から流入させる方がよい。
【００３８】
この入口６２ａは、その内周が周囲の管壁外面から流入方向に沿って突出するように設けられている。入口６２ａの内周付近のみが流入方向に延長される分、管壁の無駄な厚肉化を避けつつ、入口６２ａの内周で流入流れを交差方向に方向付け易くなる。
【００３９】
また、この入口６２ａの内周を管壁外面から突出させれば、サクションホース挿入の支障になることも防止される。
【００４０】
この移流口６２は、図３、図４、図６に示すように、入口６２ａがスリット状とされ、複数の入口６２ａが平行に配置された構成になっている。これは、複数の入口６２ａからの各流入流れが層状に重なるようにし、上記の方向付け効果をより高めるためである。
【００４１】
また、この移流口６２の入口６２ａは、担体Ｃが通過しないように開放されている。このため、担体Ｃが移流口６２から汚泥引き出し管６１内に入ることは無い。
【００４２】
ここで、入口６２ａを担体Ｃが通過しないように開放すると、図６に示すように、担体Ｃが入口６２ａに架かって詰まる状態が生じ得る。
上述の事態を減らすため、入口６２ａの内周突端部は、担体Ｃのスリット部に入り込む肉厚になっている。このようにすれば、入口６２ａの内周突端部の上下左右いずれか一方側の領域に担体Ｃが引っ掛かり易くなり、担体Ｃが入口６２ａに架かり難くなる。このように担体Ｃが入口６２ａの内周に片掛りする状態で、反対側の領域の内周突端部分と担体Ｃとの間に隙間ｇが生じる。このため、入口６２ａが詰り難くい。
【００４３】
さらに、この入口６２ａは、そのスリット幅が担体Ｃが通過し得ない幅でありながら、そのスリット長が担体Ｃの最大径より長く設定されており、入口６２ａがより詰り難くなっている。
【００４４】
図３に示すように、この移流口６２の出口６２ｂは、少なくとも全入口６２ａと同一深さの範囲に開放されている。これは、入口６２ａから横に流れて出口６２ｂへ向かい易くし、出口６２ｂからの流出流が汚泥滞留室４２の底部に直接的にぶつかり難くするためである。
また、出口６２ｂは、汚泥滞留室４２の底部から高さを設けられている。これも、汚泥滞留室４２の底部が流出流で直接的に浚われ難くするためである。
【００４５】
この出口６２ｂに臨む汚泥滞留室４２に、汚泥返送ポンプ７０の吸上口７１と、出口６２ｂからの流れを下側に変向するスカート壁４５と、その変向流を受けて吸上口７１側に向かう流れを生じさせる底部とが設けられている。
【００４６】
汚泥返送ポンプ７０として、エアリフトポンプが採用されている。その揚水管７２は、汚泥引き出し管６１内に通されている。吸上口７１は、揚水管７２の下端部に屈曲管路を介して連なり、汚泥滞留室４２の中央部に配置されている。汚泥が底部の上記泥流し壁４４により中央側に寄せられるためである。
【００４７】
吸上口７１から吸い込まれた汚泥及び処理水は、揚水管７２から移送管７３に入り、移送管７３により上流側の処理槽に重力移送される。
【００４８】
移送管７３は、図１、図２に示すように、担体流動槽３０及び一次処理槽２０の上方に通されており、担体流動槽３０に移送する第一返送口７４と、一次処理槽に移送する第二返送口７５とが設けられた構成になっている。
【００４９】
第一返送口７４は、移送管７３に形成された上端開放状の切欠部からなり、担体流動槽３０の上方に位置している。第一返送口７４を越流した汚泥等は、担体流動槽３０に落下する。このため、汚泥滞留室４２内の汚泥等を担体流動槽３０に移送することが可能である。
【００５０】
第二返送口７５は、移送管７３の終端口からなり、流入バッフル２３の上方に位置している。第二返送口７５から流出した汚泥等は、第一処理室２１に落下する。このため、汚泥滞留室４２内の汚泥等を第二処理室２２より上流側に移送することが可能である。このようにすれば、汚泥滞留室４２内から移送された処理水は、再び第二処理室２２を経るため、嫌気性処理により脱窒化される。
【００５１】
脱窒化を優先する場合、全ての汚泥等を移送管７３で一次処理槽２０に移送することが好ましいが、移送管７３を通る処理水が好気性条件であるため、一次処理槽２０への移送量が多くなると、第二処理室２２の嫌気性条件が崩れ易くなる。
特に、この第一実施形態は、第一処理室２１を嫌気性処理室ではなく夾雑物除去室とし、構造の単純化を図ったものになっている。このため、この第一実施形態は、一次処理槽２０の両室で嫌気性処理を行なう場合と比して第二処理室２２の嫌気性処理負担が比較的大きい。
一方、汚泥滞留室４２の底部に汚泥が蓄積されることを確実に防止するには、汚泥返送ポンプ７０を常時運転することが好ましい。
【００５２】
上述の条件を考慮し、両移送口７４、７５における流量は、移送管７３に設けられた流量調整機構により調整可能になっている。これにより、第一返送口７４の流量が第二返送口７５よりも多くなるように調整されている。このように調整すれば、常時運転を行いながら、一次処理槽２０への移送量を減らし、第二処理室２２の嫌気性条件を崩れないようにすることができる。担体流動槽３０は、好気性条件なので、移送量の問題はない。
【００５３】
この流量調整機構は、図７に示すように、第一返送口７４と、第一返送口７４の越流面を増減させる移動板７６と、第一返送口７４の下流に設けられた目盛読み取り口７７とからなる。移動板７６をスライドさせることで越流面が増減するようになっている。これにより、第一返送口７４の流量が増減され、その結果、第二返送口７５の流量が増減される。この増減量は、目盛読み取り口７７から露出する目盛７８で水流幅を読み取ることで調整される。なお、流量調整機構は、上記の流量調整を実現できるものであれば特に構成を限定されない。
【００５４】
図３、図５に示すように、上記のスカート壁４５は、沈殿槽４０を沈降ホッパ室４１と汚泥滞留室４２とに分ける仕切板になっている。これにより、沈殿槽４０の構造単純化が図られている。
【００５５】
このスカート壁４５は、仕切り６０の沈殿槽４０側に下広がり状に設けられており、移流口６２の出口６２ｂを前方から取り囲んでいる。スカート壁４５の下端縁は、出口６２ｂの上部領域よりも低くなっているが、吸上口７１の設置空間を空けた高さで出口６２ｂの下部領域を取り囲んでいる。出口６２ｂの上部領域及び下部領域の大部分からの流れは、スカート壁４５にぶつかって下側に変向され、その勢いが弱まる。
【００５６】
汚泥滞留室４２の底部は、スカート壁４５の延長上かつ排出口４３の下方に位置する部分に、上記の泥流し壁４４が位置するように設けられている。スカート壁４５による変向流は、泥流し壁４４の上広がり状の曲がり中間部分で受けられる。その結果、変向流より勢いが弱く、上広がり状に沿って吸上口７１に向かう戻し流が生じる。この戻し流は、排出口４３の下方から中央側に底部を全体的に浚って吸上口７１側に運ぶ。
【００５７】
出口６２ｂの下部領域からの残りの流れは、スカート壁４５にぶつからない分、勢いがあるが、流量の多い戻し流が排出口４３への到達を阻害する。このため、汚泥滞留室４２からの汚泥舞い上がりが防止される。
【００５８】
排出口４３への漏洩流は、沈降ホッパ室４１内に上昇するが、その流量は少なく、勢いも弱い。このため、移流口６２からの移流がない状態になると、漏洩流の沈降ホッパ室４１内への影響は直ぐに消え、通常、沈降ホッパ室４１内の処理水の上昇速度が汚泥の沈降速度より遅くなる。したがって、沈降ホッパ室４１内に達した汚泥は、汚泥滞留室４２内に沈降することができる。
【００５９】
沈降ホッパ室４１の上澄み水は、消毒槽８０を経て管体１０から放流される。
【００６０】
この合併処理浄化槽は、上澄み水を消毒槽８０に揚水するエアリフトポンプ９０を備えている。これにより、消毒槽８０の越流高を沈降ホッパ室４１の水面より高く設けて消毒槽８０の水面下部分を減少させている。その分、沈降ホッパ室４１の容量が増えるため、漏洩流で汚泥が舞い上がった場合でも上澄み水に混ざり難くなる。
【００６１】
エアリフトポンプ９０の吸上口９１は、沈降ホッパ室４１の水面に臨む上広がり状とされている。これにより、吸上口９１の越流面をできるだけ増やし、上澄み水が吸上口９１に越流する勢いをできるだけ弱めている。これにより、吸上口９１への越流に伴って沈降ホッパ室４１内に上昇流が発生することが抑えられる。
【００６２】
特に、吸上口９１は、上広がり状とされており、越流水が管孔中央に集中するようになっている。このようにすれば、吸上口９１を水面近くに配置しても、吸上口９１から空気を吸い込み難くなる。空気の吸い込みを防止すれば、エアーリフト効果を高めることができる。なお、吸上口９１を水面近くに配置するのは、できるだけ澄んだ上澄み水を消毒槽８０に送るためである。
【００６３】
図３、図４に示すように、上記の汚泥引き出し管６１に、移流口６２より高い位置で担体流動槽３０に通じる導水口６３が開放されている。導水口６３は、汚泥引き出し管６１の水面下の部分に形成された孔から構成されている。孔からなる導水口６３は、簡単に形成することができる。なお、この汚泥引き出し管６１は、全体が強化繊維プラスティックの成形品とされており、導水口６３は、一体成形されている。
【００６４】
導水口６３は、周囲の管壁内面から突出しておらず、サクションホースの挿入の支障とならない。また、導水口６３は、担体Ｃが通過しない開口面積になっている。
【００６５】
導水口６３より低い位置の移流口６２から、すなわち入口６２ａ、出口６２ｂを通して汚泥滞留室４２へ移流が生じる状態で、導水口６３から処理水が汚泥引き出し管６１内に引き込まれる。汚泥引き出し管６１内に処理水が流入することにより、管内に下降流が生じる。この下降流は、管内にある汚泥を沈ませ、汚泥滞留室４２へ運ぶ。したがって、この合併処理浄化槽は、汚泥引き出し管６１に導水口６３を一体成形するだけで、管内の汚泥浮上を簡単に防止することができる、すなわち管内のスカム発生を防止することができる。
【００６６】
上記下降流は、水面を巻き込むように生じさせることが好ましい。これにより、汚泥引き出し管６１内に発生したスカムを沈降させることが可能になる。
【００６７】
導水口６３は、水面より低くなるように設けられている。担体流動槽３０の水面上に浮かぶスカムが導水口６３から汚泥引き出し管６１内に流入し難くなるからである。
【００６８】
なお、汚泥引き出し管６１内に下降流が得られる限り、導水口６３は、適宜の配置、形態に開放することが可能である。例えば、汚泥引き出し管６１の管壁側部６１ａに導水口６３を開放したり、導水口６３に担体捕捉ネットを設けて開口面積を大きくし、下降流をより生じ易くしたりすることも可能である。
【図面の簡単な説明】
【００６９】
【図１】実施形態に係る合併処理浄化槽の全体構成を示す概念図
【図２】図１の合併処理浄化槽の天井を除いて示す横断面図
【図３】図１の汚泥引き出し管の部分拡大図
【図４】図１の汚泥引き出し管を後方斜め上から示した斜視図
【図５】図１の汚泥引き出し管を前方斜め上から示した斜視図
【図６】図１の汚泥引き出し管の移流口の横断面図
【図７】図１の移送管の第一返送口を示す斜視図
【図８】従来例を示す概念図
【符号の説明】
【００７０】
１０  管体
２０  一次処理槽
３０  担体流動槽
４０  沈殿槽
４１  沈降ホッパ室
４２  汚泥滞留室
４４  泥流し壁
４５  スカート壁
６０  仕切り
６１  汚泥引き出し管
６２  移流口
６２ａ  入口
６２ｂ  出口
６３  導水口
７０  汚泥返送ポンプ
７１  吸上口
７３  移送管
７４  第一返送口
７５  第二返送口
８０  消毒槽
９０  エアリフトポンプ
９１  吸上口
【図１】
2008272702.tif 000003
【図２】
2008272702.tif 000004
【図３】
2008272702.tif 000005
【図４】
2008272702.tif 000006
【図５】
2008272702.tif 000007
【図６】
2008272702.tif 000008
【図７】
2008272702.tif 000009
【図８】
2008272702.tif 000010